(57)【要約】【課題】維持管理が容易であり、ガス管の切断された開口端部に装着する際の作業や吸引ホースを連通管に接続する作業を容易にする接続治具及びこの使用方法を提供する。【解決手段】接続治具１は、凸形の回転対称面を形成する湾曲面部１１を有してガス管８０の開口端部８２の周縁部８２ａに湾曲面部１１が気密に当接して開口端部８２を塞ぐ蓋本体１０と、湾曲面部１１によって開口端部８２を塞いだ蓋本体１０をガス管８０に固定する固定手段４０を備える。固定手段４０は、開口端部８２よりも上流側のガス管８０の外周面に周方向に配置されて第１接続部４４を備えた複数の固定板４３と、ガス管８０の外周面に配置された固定板４３上に掛け回されて長さ調整が可能な緊張帯部材５０と、蓋本体１０の外側端部に周方向に設けられた第２接続部４１と、第１接続部４４と第２接続部４１とを接続して長さ調整が可能な複数の引っ張り部材６０とを有する。【選択図】図１
2007285345.tif 000002
【特許請求の範囲】
【請求項１】
ガス管内に溜まった水を除去する際に用いられ、前記ガス管の切断部に開口した円形状の開口端部に装着されて、前記ガス管内に溜まった水を除去する吸引装置を接続可能な滞水除去用接続治具であって、
凸形の回転対称面を形成する湾曲面部を有して前記ガス管の前記開口端部の周縁部に前記湾曲面部が当接して前記開口端部を塞ぐ蓋本体と、
前記湾曲面部によって前記開口端部を塞いだ前記蓋本体を前記ガス管に固定する固定手段とを備え、
前記蓋本体の前記湾曲面部は、前記開口端部の前記周縁部に当接すると該開口端部を気密に塞ぐことを特徴とする滞水除去用接続治具。
【請求項２】
前記湾曲面部上に、前記開口端部の前記周縁部と当接すると弾性変形可能な板部材を設けたことを特徴とする請求項１に記載の滞水除去用接続治具。
【請求項３】
前記蓋本体は、前記湾曲面部を貫通して該蓋本体の一方側と他方側を連通する連通管を有し、
前記連通管の一方側に、前記吸引装置から延びる吸引ホースが着脱可能に取り付けられることを特徴とする請求項１又は２に記載の滞水除去用接続治具。
【請求項４】
前記湾曲面部から他方側に延出する前記連通管は、可撓性を有して該連通管の先端位置調整が可能であることを特徴とする請求項３に記載の滞水除去用接続治具。
【請求項５】
前記固定手段は、前記ガス管の前記開口端部よりも該ガス管の延びる側の前記ガス管の外周面に周方向に所定間隔を有して配置可能であり表面側に第１接続部を備えた複数の固定板と、前記ガス管の外周面に配置された前記複数の固定板上に掛け回されて長さ調整が可能な緊張帯部材と、前記蓋本体の外側端部の周方向に所定間隔を有して設けられた複数の第２接続部と、前記第１接続部と前記第２接続部との間を接続して長さ調整が可能な複数の引っ張り部材とを有することを特徴とする請求項１から４のいずれかに記載の滞水除去用接続治具。
【請求項６】
ガス管内に溜まった水を除去する際に用いられ、前記ガス管の切断部に開口した円形状の開口端部に装着されて該開口端部の周縁部に当接可能な凸形の回転対称面を形成する湾曲面部を有した蓋本体と、前記ガス管の外周面に周方向に所定間隔を有して配置可能であり表面側に第１接続部を備えた複数の固定板、前記ガス管の外周面に配置された前記複数の固定板上に掛け回されて長さ調整が可能な緊張帯部材、前記蓋本体の外側端部の周方向に所定間隔を有して設けられた複数の第２接続部、及び前記第１接続部と前記第２接続部とを接続して長さ調整が可能な複数の引っ張り部材を備える固定手段とを有する滞水除去用接続治具の使用方法であって、
前記ガス管の前記開口端部よりも該ガス管が延びる側の前記ガス管の周面上に前記固定手段の前記複数の固定板を配置し、該複数の固定板上に前記緊張帯部材を掛け回して長さ調整して前記複数の固定板を前記ガス管に固定し、
前記湾曲面部の突出する側が開口端部側になるように前記蓋本体を配置し、
前記固定板の前記第１接続部と前記蓋本体の前記第２接続部とを前記引っ張り部材で接続して該引っ張り部材の長さを調整して前記引っ張り部材を緊張させて前記湾曲面部を前記開口端部の周縁部に気密に当接させることを特徴とする滞水除去用接続治具の使用方法。
【発明の詳細な説明】
【技術分野】
【０００１】
本発明は、滞水除去用接続治具及びこの使用方法に関し、特に、水の溜まったガス管の切断部に開口した開口端部に装着されて、ガス管内に溜まった水を除去する吸引装置を接続可能な滞水除去用接続治具及びこの使用方法に関する。
【背景技術】
【０００２】
ガス中の水分が凝縮すると、ガス管内に水が溜まり、供給支障をきたす場合があるので、これを防止するために、ガス管路には一般的に水取り器が設置されている。一方、地中に埋設されたガス管等に亀裂等がある場合に、ガス管内のガス圧力よりもガス管が埋設された場所の地下水の圧力が大きいと、亀裂等からガス管内に地下水が侵入し、ガス管内に水が溜まることがある。この場合、亀裂等によって溜まった水の位置が水取り器から離れていたり、溜まった水の量が多いと、水取り器ではこの溜まった水を取り除くことができず、供給支障をきたす場合がある。
【０００３】
そこで、ガス管内に溜まった水を除去する滞水除去作業が行われている。この滞水除去作業には、例えば、図６（部分断面図）に示すように、水が溜まったガス管８０の切断部に吸引装置を接続可能な接続治具９０が装着される。
【０００４】
この接続治具９０は、特許文献１に記載された技術が利用されており、ガス管８０の切断部を覆うようにして装着される有底容器状の蓋本体９１と、蓋本体９１の奥側から先端側に装着されるバックアップリング９３、丸ゴム輪９４、角ゴム輪９５からなるシール部材９２と、角ゴム輪９５に当接してシール部材９２を蓋本体９１の奥側に押圧する押輪９６と、押輪９６を蓋本体９１に締結する締結部材９７とを有してなる。締結部材９７は、押輪９６及び蓋本体９１のフランジ９１ａに挿通されるボルト９７ａとこれに螺合するナット９７ｂとを有する。蓋本体９１の底部には、蓋本体９１が装着されたガス管８０内と外部とを連通する連通管２０が取り付けられ、連通管２０の先端部に吸引装置に接続された吸引ホース７１が着脱可能に取り付けられるようになっている。
【０００５】
この接続治具９０を使用してガス管８０内に溜まった水を除去するのは、作業現場においてガス管８０を切断し、このガス管８０の切断部に奥側から先端側に角ゴム輪９５、丸ゴム輪９４、バックアップリング９３の順に差し込む。そして、押輪９６及び蓋本体９１をガス管８０の切断部に装着する。そして、角ゴム輪等を他の治具等によって蓋本体９１内に突き入れ、ボルト９７ａ、ナット９７ｂによって押輪９６を均等に締め付ける。これによって、角ゴム輪９５、丸ゴム輪９４、バックアップリング９３は、蓋本体奥側に押され、角ゴム輪９５及び丸ゴム輪９４は、バックアップリング９３までの空間を密封してガス管８０の切断部の気密を確保する。一方、バックアップリング９３は縮径して蓋本体９１をガス管８０に固定する。そして、吸引装置に接続された吸引ホース７１を連通管２０に接続し、吸引装置を作動させて蓋本体９１を介してガス管８０内に溜まった水を吸引除去する。
【０００６】
【特許文献１】特開平１０−１３２１６８号公報
【発明の開示】
【発明が解決しようとする課題】
【０００７】
この従来の接続治具は、ガス管の口径（例えば、１００Ａ、１５０Ａ、２００Ａ、３００Ａ）毎に蓋本体、押輪、角ゴム輪、丸ゴム輪、バックアップリングを揃える必要があり、またこれらを維持管理するのは煩わしいという問題がある。
【０００８】
また埋設されたガス管を切断する場合、作業現場ではガス管を切断可能な空間を有した縦穴を掘るが、この縦穴の空間は一般的に狭い。このため、ガス管の切断部の下側の隙間は殆どない場合が多く、角ゴム輪等の突き入れ作業や締結部材による押輪の蓋本体への締結作業が極めて難しいという問題がある。
【０００９】
さらに蓋本体はガス管の延びる方向に沿ってのみ装着することができないので、吸引ホースを連通管に接続する際に、連通管の先端位置が縦穴の周壁に位置すると、吸引ホースを連通管に接続する作業が難しくなるという問題がある。
【００１０】
本発明は、このような問題に鑑みてなされたものであり、接続治具の維持管理が容易であり、接続治具をガス管の切断部に装着する際の作業や吸引ホースを連通管に接続する作業の作業性がよい滞水除去用接続治具及びこの使用方法を提供することを目的とする。
【課題を解決するための手段】
【００１１】
このような課題を解決するために本発明の滞水除去用接続治具は、ガス管内に溜まった水を除去する際に用いられ、ガス管の切断部に開口した円形状の開口端部に装着されて、ガス管内に溜まった水を除去する吸引装置を接続可能な滞水除去用接続治具であって、凸形の回転対称面を形成する湾曲面部を有してガス管の開口端部の周縁部に湾曲面部が当接して開口端部を塞ぐ蓋本体と、湾曲面部によって開口端部を塞いだ蓋本体をガス管に固定する固定手段とを備え、蓋本体の湾曲面部は、開口端部の周縁部に当接すると該開口端部を気密に塞ぐことを特徴とする。
【００１２】
この発明によれば、滞水除去用接続治具は、凸形の回転対称面を形成する湾曲面部を有してガス管の開口端部の周縁部に湾曲面部が当接して開口端部を塞ぐ蓋本体と、湾曲面部によって開口端部を塞いだ蓋本体をガス管に固定する固定手段とを備え、蓋本体の湾曲面部は、開口端部の周縁部に当接すると該開口端部を気密に塞ぐことにより、口径が異なるガス管であっても、各ガス管の開口端部の周縁部に湾曲面部を当接するだけで、各ガス管の開口端部を気密に塞ぐことができ、ゴム等のシール部材を不要にすることができる。このため、本発明の滞水除去用接続治具は、部品点数が少なく、口径が異なるガス管に共通して使用することができ、接続治具の維持管理を容易にすることができる。また接続治具をガス管の切断部に装着する際に、湾曲面部が開口端部側に向くように蓋本体を配置して湾曲面部を開口端部の周縁部に当接するだけで、ガス管の切断部分の気密を確保することができるので、接続治具をガス管の切断部に装着する際の作業を容易にすることができる。また湾曲面部は凸形の回転対称面に形成されているので、蓋体部をガス管の延びる方向に対して傾けても湾曲面部と開口端部の周縁部とを隙間なく当接させることができる。このため、蓋体部をガス管の延びる方向に対して傾けた状態で装着することができ、その結果、蓋体部の底部に吸引装置に接続された吸引ホースを接続する連通管を設けた場合、蓋体部をガス管に装着した状態で、連通管が上方へ向いた姿勢にすることができ、吸引ホースを連通管に接続する作業を容易にすることができる。
【００１３】
また本発明の湾曲面部上に、開口端部の周縁部と当接すると弾性変形可能な板部材を設けたことを特徴とする。
【００１４】
この発明によれば、湾曲面部上に開口端部の周縁部と当接すると弾性変形可能な板部材を設けることにより、開口端部の周縁部と湾曲面部との気密性をより向上することができる。
【００１５】
また本発明の蓋本体は、湾曲面部を貫通して該蓋本体の一方側と他方側を連通する連通管を有し、連通管の一方側に、吸引装置から延びる吸引ホースが着脱可能に取り付けられることを特徴とする。
【００１６】
この発明によれば、蓋本体に湾曲面部を貫通する連通管を設け、この連通管の一方側に吸引装置から延びる吸引ホースを着脱可能に取り付けることにより、連通管を介してガス管内に溜まった水を吸引することができる。
【００１７】
さらに本発明は、湾曲面部から他方側に延出する連通管が、可撓性を有して該連通管の先端位置調整が可能であることを特徴とする。
【００１８】
この発明によれば、湾曲面部から他方側に延出する連通管は可撓性を有して該連通管の先端位置調整が可能であることにより、ガス管の底側に連通管の先端部を配置することができ、ガス管内に溜まった水の吸引を容易にすることができる。
【００１９】
また本発明の固定手段は、ガス管の開口端部よりも該ガス管の延びる側のガス管の外周面に周方向に所定間隔を有して配置可能であり表面側に第１接続部を備えた複数の固定板と、ガス管の外周面に配置された複数の固定板上に掛け回されて長さ調整が可能な緊張帯部材と、蓋本体の外側端部の周方向に所定間隔を有して設けられた複数の第２接続部と、第１接続部と第２接続部との間を接続して長さ調整が可能な複数の引っ張り部材とを有することを特徴とする。
【００２０】
この発明によれば、固定手段は第１接続部を備えた固定板と緊張帯部材と第２接続部と引っ張り部材とを有してなることにより、ガス管に対する固定板の位置や第２接続部を設けた蓋本体のガス管周方向の装着角度を変えることで、第１接続部及び第２接続部を埋設されたガス管の側方位置や上方位置に配置することができる。このため、これら接続部間に引っ張り部材を接続する作業や引っ張り部材の長さ調整が容易となり、蓋本体をガス管に固定する作業の作業性を向上することができる。
【００２１】
また本発明は、ガス管内に溜まった水を除去する際に用いられ、ガス管の切断部に開口した円形状の開口端部に装着されて該開口端部の周縁部に当接可能な凸形の回転対称面を形成する湾曲面部を有した蓋本体と、ガス管の外周面に周方向に所定間隔を有して配置可能であり表面側に第１接続部を備えた複数の固定板、ガス管の外周面に配置された複数の固定板上に掛け回されて長さ調整が可能な緊張帯部材、蓋本体の外側端部の周方向に所定間隔を有して設けられた複数の第２接続部、及び第１接続部と第２接続部との間を接続して長さ調整が可能な複数の引っ張り部材とを有する固定手段とを有する滞水除去用接続治具の使用方法であって、ガス管の開口端部よりも該ガス管が延びる側のガス管の周面上に固定手段の複数の固定板を配置し、複数の固定板上に緊張帯部材を掛け回して長さ調整して複数の固定板をガス管に固定し、湾曲面部の突出する側が開口端部側になるように蓋本体を配置し、固定板の第１接続部と蓋本体の第２接続部とを引っ張り部材で接続して該引っ張り部材の長さを調整して引っ張り部材を緊張させて湾曲面部を開口端部の周縁部に気密に当接させることを特徴とする。
【００２２】
この発明によれば、切断されたガス管の周面上に複数の固定板を配置し、これらの固定板上に緊張帯部材を掛け回して長さ調整して複数の固定板をガス管に固定し、湾曲面部の突出する側が開口端部側になるように蓋本体を配置し、固定板の第１接続部と蓋本体の第２接続部とを引っ張り部材で接続して引っ張り部材を緊張させて湾曲面部を開口端部の周縁部に気密に当接させることにより、接続治具をガス管の切断部に装着する際に、湾曲面部を開口端部の周縁部に当接させるだけで、ガス管の切断部分の気密を確保することが可能になるので、切断部分を気密に作業を容易にすることができる。またガス管に対する固定板の位置や第２接続部を設けた蓋本体のガス管周方向の装着角度を変えることで、第１接続部及び第２接続部を埋設されたガス管の側方位置や上方位置に配置することができ、これら接続部間に引っ張り部材を接続する作業や引っ張り部材の長さ調整が容易となり、蓋本体をガス管に固定する作業の作業性を向上することができる。さらに湾曲面部は凸形の回転対称面を形成しているので、蓋体部をガス管の延びる方向に対して傾けても湾曲面部によって開口端部の周縁部を隙間なく当接させることができる。このため、蓋体部をガス管の延びる方向に対して傾けた状態で装着することができ、その結果、蓋体部の底部に吸引装置に接続された吸引ホースを接続する連通管が設けられている場合、蓋体部をガス管に装着した状態で、連通管を上方へ延ばした姿勢にすることができ、吸引ホースを連通管に接続する作業を容易にすることができる。
【発明の効果】
【００２３】
本発明に係わる滞水除去用接続治具及びその使用方法によれば、凸形の回転対称面を形成する湾曲面部を有してガス管の開口端部の周縁部に湾曲面部が当接して開口端部を塞ぐ蓋本体と、湾曲面部によって開口端部を塞いだ蓋本体をガス管に固定する固定手段とを備え、蓋本体の湾曲面部は、開口端部の周縁部に当接すると該開口端部を気密に塞ぐことにより、接続治具の維持管理が容易であり、接続治具をガス管の切断部に装着する際の作業や吸引ホースを連通管に接続する作業の作業性がよい滞水除去用接続治具及びこの使用方法を提供することができる。
【発明を実施するための最良の形態】
【００２４】
以下、本発明に係わる滞水除去用接続治具及びその使用方法の好ましい実施の形態を図１（側面図）〜図５（斜視図）に基づいて説明する。先ず、本発明の使用方法を説明する前に、滞水除去用接続治具について説明する。
【００２５】
滞水除去用接続治具（以下、単に「接続治具１」と記す。）は、図１に示すように、湾曲面部１１を有してガス管８０が切断された切断部８１の開口端部８２を塞ぐ蓋本体１０と、湾曲面部１１によって開口端部８２を塞いだ蓋本体１０をガス管８０に固定する固定手段４０とを有してなる。
【００２６】
蓋本体１０は、図１、図２（表面側斜視図）及び図３（裏面側斜視図）に示すように、板金材料をプレス加工し溶着等して形成され、円筒状の胴部１５と、胴部先端側に取り付けられた湾曲面部１１と、湾曲面部１１を貫通して取り付けられた連通管２０とを有してなる。
【００２７】
胴部１５は、接続治具１を装着する対称となるガス管８０の口径（例えば、１００Ａ、１５０Ａ、２００Ａ、３００Ａ）のうち最も大きい口径（例えば、３００Ａ）より大きい径を有している。
【００２８】
胴部１５の側面には、周方向に均等配置（図面では３等分配置）して胴部先端側へ延びる固定手段４０の一部である第２接続部４１が取り付けられている。この第２接続部４１は、金属材料で形成された棒状部材を略Ｕ字状に折り曲げて形成されて先端部を胴部１５の側面に溶着等によって固定されている。第２接続部４１は、胴部１５の側面から蓋本体１０の先端側へ延びて湾曲面部１１より蓋本体先端側へ突出している。なお、第２接続部４１は、３等分配置に限るものではなく、４等分以上に配置して胴部側面に取り付けられてもよい。また第２接続部４１は、胴部１５の側面に図示しない切り欠きを設け、この切り欠きを第２接続部４１としてもよい。
【００２９】
湾曲面部１１は、図1、図４（ａ）（同図（ｂ）のV−V矢視に相当する断面図）及び図４（ｂ）（部分断面図）に示すように、胴部１５の先端側の開口を覆うようにして取り付けられており、外側へ突出した凸形を有し、胴部１５の中心軸線１５ａに対して放物線を回転させたときに形成される回転放物面として形成されている。湾曲面部１１の形状は、回転放物面に限るものではなく、胴部の中心軸線１５ａに対して回転対称な面（以下、「回転対称面」と記す）に形成されていればよく、球面、円錐面、円錐台面等でもよい。
【００３０】
湾曲面部１１上には、ゴム材料で形成されて一定の肉厚を有した円盤状の板部材１２が接着剤等によって取り付けられている。この板部材１２は弾性変形可能であり、ガス管８０の開口端部８２の周縁部８２ａが板部材１２に当接すると、板部材１２は弾性変形する。このため、開口端部８２の周縁部８２ａを気密に板部材１２に当接することができる。
【００３１】
湾曲面部１１の中央には、これを貫通してガス管８０内に溜まった水を通す連通管２０が胴部１５の中心軸線１５ａと略同軸上に取り付けられている。連通管２０の先端部は湾曲面部１１より前側に所定長さを有して延び、連通管２０の後端部は湾曲面部１１より後側に延びて胴部後端から突出している。連通管２０の後端部はガス管８０内に溜まった水を吸引する吸引装置７０に接続された吸引ホース７１の先端部を接続可能に形成されている。連通管２０は水を通すことができればよいので、連通管２０を形成する材料は金属材料や合成樹脂材料等でもよい。また、連通管２０の先端部は可撓性を有するように構成してもよい。このようにすると、連通管２０の先端部の位置をガス管８０の底側に配置することができ、ガス管８０内に溜まった水の吸引をし易くすることができる。
【００３２】
固定手段４０は、図１及び図５（斜視図）に示すように、ガス管８０の開口端部８２よりもガス管８０が延びる側のガス管８０の外周面に配置可能な固定板４３と、ガス管８０の外周面に配置された複数の固定板４３上に掛け回されてこれらの固定板４３をガス管８０に固定する緊張帯部材５０と、前述した蓋本体１０に設けられた複数の第２接続部４１と、ガス管８０に固定された固定板４３と蓋本体１０との間を接続して長さ調整が可能な引っ張り部材６０とを有する。
【００３３】
固定板４３は、ガス管８０の外周面に沿って湾曲し、ガス管８０の周方向に固定板４３が少なくとも３つ配置可能な大きさを有している。接続治具１の使用対称となるガス管８０は前述したように４種類（１００Ａ、１５０Ａ、２００Ａ、３００Ａ）あるので、固定板４３は、これらのガス管毎に対応したものが必要である。なお、固定板４３が複数の板部材を互いに回動自在に連接して屈曲自在な履帯状に構成すれば、固定板４３は、口径の異なるガス管でも共通に使用することが可能になり、この場合には、ガス管毎に対応した固定板を用意する必要がなくなる。
【００３４】
固定板４３の表面（凸面）の端部には第１接続部４４が固定されている。この第１接続部４４は、先端部に設けられた環状の掛止部４４ａと、掛止部４４ａの基端側に設けられた軸部４４ｂとを有し、軸部４４ｂが固定板４３上に溶着等によって固定されている。また固定板４３の表面の周方向の両端部には、緊張帯部材５０を通して固定板４３に対する緊張帯部材５０の位置決めをする位置決め部材４５が取り付けられている。なお、緊張帯部材５０の近傍に配置される固定板４３は、緊張帯部材５０に設けられた後述するバックル金具５１との当接を防止可能にするため、位置決め部材４５を取り外したものでもよい。第１接続部４４は、金属材料で形成されるが、強度が確保されれば、合成樹材料で形成されてもよい。
【００３５】
緊張帯部材５０は、合成樹脂材料（例えば、ポリエステル）で形成された帯状部５２と、帯状部５２の一端側を回動自在に接続し、帯状部５２の他端側を巻き上げ可能に接続して帯状部５２の長さ調整が可能なバックル金具５１とを有してなる。
【００３６】
引っ張り部材６０は、図１に示すように、緊張帯部材５０と略同様な構成を有しており、合成樹脂材料（例えば、ポリエステル）で形成されて一端部にフック６２、６４を取り付けた第１帯状部６１及び第２帯状部６３と、第１帯状部６１の他端側を回動自在に接続し、第２帯状部６３の他端側を巻き上げ可能に接続して第２帯状部６３の長さを変えて引っ張り部材６０全体の長さ調整が可能なバックル金具６５とを有してなる。
【００３７】
次に、接続治具１を使用してガス管８０内に溜まった水を除去する場合における接続治具１の使用方法について、図１、図４（ａ）及び図４（ｂ）を参照して説明する。
【００３８】
先ず、水が溜まったガス管８０の切断位置を決め、このガス管８０に図示しないバイパス管を設けて作業区間のガス流通を遮断する。そして、切断位置周辺に縦穴８５を掘削して作業区間のガス管８０を露出させ、ガス管８０を切断する。ガス管８０が切断されると、このガス管８０の開口端部８２よりも上流側のガス管８０の周面上に複数の固定板４３を周方向に均等に配置（図面上では３均等配置）する。このとき、固定板４３に設けられた第１接続部４４がガス管８０の側方及び上方に位置するように配置する。そして、これらの固定板４３上に緊張帯部材５０の帯状部５２を掛け回し、バックル金具５１で帯状部５２を緊張させて固定板４３をガス管８０に固定する。
【００３９】
そして、湾曲面部１１の突出する側がガス管８０の開口端部８２側になるように蓋本体１０を配置する。このとき、蓋本体１０に設けられた第２接続部４１がガス管８０の側方及び上方に位置するように配置するとともに、連通管２０がガス管８０の延びる方向に沿うように蓋本体１０を配置する。そして、固定板４３の第１接続部４４と蓋本体１０の第２接続部４１とを引っ張り部材６０で接続し、引っ張り部材６０の長さをバックル金具６５で調整して引っ張り部材６０を緊張させる。その結果、蓋本体１０の湾曲面部１１はガス管８０の開口端部８２の周縁部８２ａと隙間なく当接してガス管８０の開口端部８２を気密に塞ぐことができる。なお、掘削された縦穴８５の大きさとの関係で、蓋本体１０と縦穴８５の周壁との隙間が狭い場合には、ガス管８０に対して連通管２０が斜め上方に延びるように蓋本体１０を傾けた状態でガス管８０の開口端部８２に装着してもよい。
【００４０】
そして、連通管２０に、吸引装置７０に接続された吸引ホース７１を接続し、吸引装置７０を作動してガス管８０内に溜まる水を吸引除去する。
【００４１】
このように、本発明の接続治具１は、凸形の回転対称面を形成する湾曲面部１１を有するので、ガス管８０の開口端部８２の周縁部８２ａに湾曲面部１１が当接するとこの開口端部８２を気密に塞ぐことができ、また湾曲面部１１は使用対称のガス管８０のうち口径が最も大きなものの開口端部を気密に塞ぐことが可能に形成されているので、このガス管より口径の小さなガス管の開口端部も気密に塞ぐことができる。このため、本発明の接続治具１は、従来技術で使用されていたバックアップリング、丸ゴム輪、角ゴム輪等のシール部材が不要であり、部品点数が少なく、口径が異なるガス管に共通して使用することができる。その結果、接続治具１は維持管理が容易である。
【００４２】
また接続治具１をガス管８０の開口端部８２に装着する際に、湾曲面部１１が開口端部側に向くように蓋本体１０を配置して湾曲面部１１を開口端部８２の周縁部８２ａに当接するだけで、ガス管８０の切断部分の気密を確保することが可能になるので、接続治具１をガス管８０の開口端部８２に装着する際の作業が容易である。また、ガス管８０に対する固定板４３の位置や第２接続部４１を設けた蓋本体１０のガス管周方向の装着角度を変えることで、第１接続部４４及び第２接続部４１を、埋設されたガス管８０の側方位置や上方位置に配置することができる。このため、これら接続部間に引っ張り部材６０を接続する作業や引っ張り部材６０の長さ調整が容易となり、蓋本体１０をガス管８０に固定する作業の作業性を向上することができる。
【００４３】
また湾曲面部１１は凸形の回転対称面に形成されているので、蓋体部１０をガス管８０の延びる方向に対して傾けた状態でも湾曲面部１１をガス管の開口端部に装着することができる。このため、連通管２０が上方へ向いた姿勢で蓋体部１０をガス管８０に装着することができ、吸引ホース７１を連通管２０に接続する作業を容易にすることができる。
【００４４】
なお、前述した接続治具１は、鋼管、鋳鉄管及びＰＥ管のいずれのガス管にも使用が可能である。
【図面の簡単な説明】
【００４５】
【図１】本発明の一実施の形態に係わる接続治具を装着したガス管の側面図を示す。
【図２】接続治具の蓋本体の表面側斜視図を示す。
【図３】蓋本体の裏面側斜視図を示す。
【図４】ガス管に装着された接続治具を示し、同図（ａ）は同図（ｂ）のＶ−Ｖ矢視に相当する蓋本体の正面図であり、同図（ｂ）は接続治具の部分断面図である。
【図５】固定手段の固定板及び緊張帯部材の斜視図を示す。
【図６】従来のガス管に装着された接続治具の部分断面図を示す。
【符号の説明】
【００４６】
１  滞水除去用接続治具
１０  蓋本体
１１  湾曲面部
１２  板部材
２０  連通管
４０  固定手段
４１  第２接続部
４３  固定板
４４  第１接続部
５０  緊張帯部材
６０  引っ張り部材
７０  吸引装置
７１  吸引ホース
８０  ガス管
８１  切断部
８２  開口端部
８２ａ  周縁部
【図１】
2007285345.tif 000003
【図２】
2007285345.tif 000004
【図３】
2007285345.tif 000005
【図４】
2007285345.tif 000006
【図５】
2007285345.tif 000007
【図６】
2007285345.tif 000008